(57)【特許請求の範囲】
【請求項１】
１または複数の電気機器と、
この電気機器が前面側に取り付けられ、かつ背面側を所望の壁部に対向させるようにして前記壁部に取り付けられるベース部材本体部を有している電気機器取付け用ベース部材と、
を備えている、電気機器取付け構造であって、
前記電気機器取付け用ベース部材は、
前記ベース部材本体部に設けられ、かつ前記電気機器の配線を前記ベース部材本体部の背面側に通すための配線用孔と、
前記電気機器の配線の上方を覆うように前記配線用孔の上方において前記ベース部材本体部からその背後に向けて突出し、かつ少なくとも一部分が上下高さ方向に傾斜しており、上方から落ちてきた液体を受けたときに、この液体を前記傾斜によって前記配線用孔および前記配線の直上位置からオフセットされた位置へ導いて下方へ流れ落とすことが可能な庇部と、
前記ベース部材本体部の背面側の下部に設けられ、かつ前記庇部から落下してきた液体を受けることが可能な受け部と、
この受け部によって受けられた液体を前記ベース部材本体部の前面側に通過させることが可能な排水用の孔部と、
をさらに有しており、
前記電気機器は、前記排水用の孔部の前方を覆うように配されて、前記電気機器と前記ベース部材本体部との間には、前記所望の壁部からその手前側に離間した下部開口状の隙間が形成され、前記排水用の孔部を通過した液体は、前記隙間を通過して前記ベース部材本体部の下方に流れ落ちるように構成されていることを特徴とする、電気機器取付け構造。
【請求項２】
前記庇部の上面は、左右幅方向の略中央部から両端部に進むにしたがって高さが低くなるように傾斜しており、
前記受け部は、前記庇部の両端部のそれぞれから流れ落ちてくる水を受けることが可能に設けられ、
前記排水用の孔部としては、前記庇部の両端部のそれぞれの下方または下方近傍に位置する一対の孔部が設けられている、請求項１に記載の電気機器取付け構造。
【請求項３】
前記ベース部材本体部の背面側に設けられ、かつ前記ベース部材本体部をステーパイプに連結するためのステーパイプ用連結部をさらに備えており、
このステーパイプ用連結部は、前記ステーパイプの連結時において、前記ステーパイプの先端部と前記ベース部材本体部の背面部との間に隙間が形成され、かつこの隙間の周囲に開口部が形成されるように構成されており、
前記電気機器の配線のうち、前記配線用孔に通されて前記ベース部材本体部の背面側に配された部分は、前記開口部から前記隙間に進入して前記ステーパイプの内部に通すことが可能な構成とされている、請求項１または２に記載の電気機器取付け構造。
【発明の詳細な説明】
【技術分野】
【０００１】
本発明は、浴室などの所望の壁部に給湯機のリモコンや薄型テレビなどの電気機器を取付けるのに用いられる電気機器取付け用ベース部材を備えた電気機器取付け構造に関する。
【背景技術】
【０００２】
浴室の壁部に、給湯機のリモコンなどの電気機器を取り付ける手法としては、電気機器を壁部に直接取り付けることに代えて、ベース部材を利用し、このベース部材を介して電気機器を壁部に間接的に取り付ける手法がある（たとえば、特許文献１を参照）。ベース部材を用いた場合には、その前面部に複数の電気機器を一纏めにして取り付けるといったことが可能となる。ただし、ベース部材を利用して電気機器の取り付けを図る場合、ベース部材の前面側に取り付けられている電気機器の配線を、ステーパイプなどを利用して適切に保護しつつ、ベース部材の背面側に引き出すのに苦慮する場合が多い。
【０００３】
そこで、この度、本件発明者は、電気機器の配線をベース部材の前面側から背面側に通すための配線用孔をベース部材に設けることを、新たに着想した。ただし、配線を単にベース部材の背面側に通しただけでは、ベース部材と浴室の壁部との間に水が進入した場合に、前記配線が水に濡れてしまい、電気系統に悪影響を生じる虞がある。これを防止する手段としては、たとえばベース部材と壁部との間にコーキング剤を充填する手段が考えられるが、このような手段では、コーキング剤の充填作業が不適切な場合や、コーキング剤の劣化が生じたような場合に、電気機器と壁部との間に水が進入し、電気配線が水に濡れる虞があり、電気系統の保護を図る上で改善の余地がある。
【先行技術文献】
【特許文献】
【０００４】
【特許文献１】特開２００４−５３２２１号公報
【発明の概要】
【発明が解決しようとする課題】
【０００５】
本発明は、前記したような事情のもとで考え出されたものであって、電気機器の配線の取り回しを容易なものとし、かつ電気機器の取り付け対象の壁部とベース部材との間に水が進入する事態を生じても電気機器の配線が水に濡れることを適切に防止して電気系統の保護を図ることが可能な電気機器取付け用ベース部材を備えた電気機器取付け構造を提供することを、その課題としている。
【課題を解決するための手段】
【０００６】
上記の課題を解決するため、本発明では、次の技術的手段を講じている。
【０００７】
本発明により提供される電気機器取付け構造は、１または複数の電気機器と、この電気機器が前面側に取り付けられ、かつ背面側を所望の壁部に対向させるようにして前記壁部に取り付けられるベース部材本体部を有している電気機器取付け用ベース部材と、を備えている、電気機器取付け構造であって、前記電気機器取付け用ベース部材は、前記ベース部材本体部に設けられ、かつ前記電気機器の配線を前記ベース部材本体部の背面側に通すための配線用孔と、前記電気機器の配線の上方を覆うように前記配線用孔の上方において前記ベース部材本体部からその背後に向けて突出し、かつ少なくとも一部分が上下高さ方向に傾斜しており、上方から落ちてきた液体を受けたときに、この液体を前記傾斜によって前記配線用孔および前記配線の直上位置からオフセットされた位置へ導いて下方へ流れ
落とすことが可能な庇部と、前記ベース部材本体部の背面側の下部に設けられ、かつ前記庇部から落下してきた液体を受けることが可能な受け部と、この受け部によって受けられた液体を前記ベース部材本体部の前面側に通過させることが可能な排水用の孔部と、をさらに有しており、前記電気機器は、前記排水用の孔部の前方を覆うように配されて、前記電気機器と前記ベース部材本体部との間には、前記所望の壁部からその手前側に離間した下部開口状の隙間が形成され、前記排水用の孔部を通過した液体は、前記隙間を通過して前記ベース部材本体部の下方に流れ落ちるように構成されていることを特徴としている。
【０００８】
このような構成によれば、次のような効果が得られる。
第１に、ベース部材本体部の前面側に電気機器を取り付ける場合には、電気機器の配線がそのまま配線用孔を通過してベース部材本体部の背面側に位置するように設定すればよい。したがって、電気機器の配線をベース部材本体部の背面側に引き出すための構造は簡素であるとともに、配線の取り回しも容易となる。
第２に、ベース部材本体部の上部と電気機器の取付け対象の壁部との間に、仮に、隙間が存在し、この隙間から水が進入したとしても、この水を庇部によって受けてから配線用孔および電気機器の配線の直上位置からオフセットされた位置に導いて下方に流れ落とすことができる。したがって、配線が水に濡れることや、配線用孔内に水が進入することを適切に防止し、電気系統の保護強化を図ることができる。
第３に、庇部から流れ落ちた水をベース部材の外部に適切に排出し、ベース部材本体部の下部と壁部との間に多くの水が溜まらないようにすることができる。また、排水用の孔部を通過した水がベース部材本体部の前面側から下方に流れ落ちるようにすれば、壁部の面に沿わせて水を流れ落とす場合と比較して、壁部の表面に水汚れを生じ難くする効果も期待できる。
【００１１】
本発明において、好ましくは、前記庇部の上面は、左右幅方向の略中央部から両端部に進むにしたがって高さが低くなるように傾斜しており、前記受け部は、前記庇部の両端部のそれぞれから流れ落ちてくる水を受けることが可能に設けられ、前記排水用の孔部としては、前記庇部の両端部のそれぞれの下方または下方近傍に位置する一対の孔部が設けられている。
【００１２】
このような構成によれば、庇部によって受けられた水をこの庇部の端部に迅速に進行させて下方に落下させ、かつこの落下した水を一対の排水用の孔部の少なくとも一方を利用して、やはり迅速に外部に排出することが可能となる。したがって、排水の円滑化を促進し、ベース部材本体部と壁部との間に水が滞留する時間を短くすることができる。
【００１３】
本発明において、好ましくは、前記ベース部材本体部の背面側に設けられ、かつ前記ベース部材本体部をステーパイプに連結するためのステーパイプ用連結部をさらに備えており、このステーパイプ用連結部は、前記ステーパイプの連結時において、前記ステーパイプの先端部と前記ベース部材本体部の背面部との間に隙間が形成され、かつこの隙間の周囲に開口部が形成されるように構成されており、前記電気機器の配線のうち、前記配線用孔に通されて前記ベース部材本体部の背面側に配された部分は、前記開口部から前記隙間に進入して前記ステーパイプの内部に通すことが可能な構成とされている。ここで、ステーパイプとは、壁部への取付け対象となる電気機器に直接または間接的に連結されて電気機器を直接または間接的に支持することが可能なパイプであって、電気機器の配線を内部に通すことが可能なものである。
【００１４】
このような構成によれば、ベース部材本体部とステーパイプとの連結を適切に図ることができることは勿論のこと、ベース部材本体部の背面側に配された電気機器の配線を、ステーパイプの内部に通すことも適切に行なうことができる。
【００１７】
本発明のその他の特徴および利点は、添付図面を参照して以下に行なう発明の実施の形態の説明から、より明らかになるであろう。
【図面の簡単な説明】
【００１８】
【図１】本発明に係る電気機器の取付け構造の一例を示す斜視図である。
【図２】図１のII−II断面図である。
【図３】図１に示す電気機器の取付け構造の分解斜視図である。
【図４】図１に示す電気機器の取付け構造の要部分解断面図である。
【図５】図１に示す電気機器の取付け構造に用いられているベース部材の背面斜視図である。
【発明を実施するための形態】
【００１９】
以下、本発明の好ましい実施の形態について、図面を参照して具体的に説明する。
【００２０】
図１〜図５は、本発明が適用された電気機器取付け構造の一実施形態を示している。図１によく表われているように、本実施形態の電気機器取付け構造Ｓは、浴室の起立した壁部７に、ベース部材Ｂを利用してテレビユニット６Ａおよび給湯機(図示略)のリモコン６Ｂを取付けた構造である。
【００２１】
図２〜図４によく表われているように、テレビユニット６Ａは、テレビ本体部６０Ａとこのテレビ本体部６０Ａにその前面側から装着されるカバー体６１Ａとを備えている。同様に、リモコン６Ｂは、リモコン本体部６０Ｂとこのリモコン本体部６０Ｂにその前面側から装着されるカバー体６１Ｂとを備えている。これらテレビユニット６Ａやリモコン６Ｂとしては、既知のものを適宜使用することができるため、その説明は省略する。
【００２２】
ベース部材Ｂは、本発明が適用された電気機器取付け用ベース部材の一例に相当し、全体が比較的硬質の合成樹脂製の正面視略矩形状のベース部材本体部１と、その背面側に設けられたステーパイプ用連結部２とを有している。図３によく表われているように、ベース部材本体部１は、前面側が平面状の板状部１０を有しており、この板状部１０には、２つの配線用孔１１が上下に間隔を隔てて設けられている。これらの配線用孔１１は、テレビユニット６Ａおよびリモコン６Ｂの配線６２Ａ，６２Ｂをベース部材本体部１の背面側に通すためのものである。
【００２３】
ベース部材本体部１の周縁部には、複数のネジ孔１２が設けられている。このネジ孔１２に螺合するネジ体９９を利用して、テレビ本体部６０Ａおよびリモコン本体部６０Ｂをベース部材本体部１の前面側に固定させることが可能である。カバー体６１Ａ，６１Ｂは、テレビ本体部６０Ａおよびリモコン本体部６０Ｂをベース部材Ｂに取り付けた後に、それらに装着される。図２および図４に示すように、テレビ本体部６０Ａおよびリモコン本体部６０Ｂの背面部には、配線６２Ａ，６２Ｂの基部を囲む背面視ループ状の弾性部材からなるシール部材６３が貼着されている。このシール部材６３がベース部材Ｂの板状部１０に当接することにより、この部分の止水シールが図られる。その結果、仮に、テレビ本
体部６０Ａとベース部材本体部１との間、あるいはリモコン本体部６０Ｂとベース部材本体部１との間に水が進入しても、この水が配線６２Ａ，６２Ｂの基部に向けて進行することは適切に防止される。
【００２４】
ステーパイプ用連結部２は、ベース部材本体部１の背面部に一対の突起部２０を一体成形することにより構成されている。図５によく表われているように、これら一対の突起部２０どうしは、スリット状の一対の隙間２１を介して互いに離間して対向しており、円筒状の突起を左右に２分割したのと同様な構成となっている。これら一対の突起部２０の内周面には、ステーパイプ５の先端部外周のネジ部５０を螺合させるためのネジ部２２が設けられている。ただし、このネジ部２２は、各突起部２０の先端側から途中高さの範囲に限って設けられており、各突起部２０の基部近傍には設けられていない。このことにより、図２に示すように、ネジ部２２にステーパイプ５のネジ部５０を螺合させたときには、ステーパイプ５の先端部が各突起部２０の基端まで進行することはなく、ステーパイプ５の先端部とベース部材本体部１の背面部との間には、隙間３０が形成される。この隙間３０は、ステーパイプ５の先端開口部を閉塞させることなく、この先端開口部に対して配線６２Ａ，６２Ｂを進入可能とする部分である。なお、隙間３０を形成するための手段としては、ネジ部２２を途中高さまで設けることに代えて、たとえばステーパイプ５の先端部が各突起部２０の途中高さまで進行したときにこのステーパイプ５に当接するストッパ（図示略）をベース部材本体部１に設ける手段を採用することもできる。
【００２５】
図２に示したように、ステーパイプ用連結部２にステーパイプ５が連結されたときには、隙間３０を外部空間と連通させる２つの開口部２１ａが形成される。これらの開口部２１ａは、図５に示した２つの隙間２１の一部分（隙間２１のうち、ステーパイプ５によって閉塞されていない部分）である。配線６２Ａ，６２Ｂは、２つの配線用孔１１を通過してベース部材本体部１の背面側に配されているが、これらの配線６２Ａ，６２Ｂは、開口部２１ａを通過して隙間３０内に進入してからステーパイプ５内に通された状態に設定される。なお、この電気機器取付け構造Ｓの組み立て手順においては、ステーパイプ５をステーパイプ用連結部２に連結した後に、ステーパイプ５内に配線６２Ａ，６２Ｂを通す必要はない。ステーパイプ５内に配線６２Ａ，６２Ｂを先に通した後に、ステーパイプ５をステーパイプ用連結部２に連結すればよいことは勿論である。ステーパイプ５は、浴室の壁部７に設けられた孔部７０内に挿入して固定される。配線６２Ａ，６２Ｂは、ステーパイプ５内を通過して浴室の外部に引き出される。
【００２６】
図５によく表われているように、ベース部材本体部１の背面側には、矩形ループ状のシール部材８０が貼着された枠状凸部１３、補強用のリブ１４，１５、リブ１５に設けられた複数の切欠き凹部１６、および補強用のリブを兼ねた庇部４が設けられている。
【００２７】
枠状凸部１３は、図２および図４によく表われているように、板状部１０の外周縁部から背後に向けて突出している。ベース部材Ｂが壁部７に取り付けられる際には、この枠状凸部１３と壁部７との間にシール部材８０が挟まれ、止水シールが図られる。このことにより、壁部７とベース部材Ｂとの間に水が進入することが抑制される。枠状凸部１３およびシール部材８０には、ベース部材Ｂを壁部７に対してネジ止め可能とするためのネジ体挿通用孔１９が設けられている。このようなネジ止め手段が設けられていれば、ステーパイプ５のみを利用してベース部材Ｂを固定させる場合よりもベース部材Ｂの取り付け強度を高くすることができる他、ステーパイプ５を用いない取り付けも可能となり、融通性に優れる。
【００２８】
補強用のリブ１４は、一対の突起部２０どうしの間に位置しており、一対の突起部２０が対向する方向に延びた形状である。ステーパイプ用連結部２およびその周辺部は、ステーパイプ５から比較的大きな力を受ける可能性があるが、リブ１４の存在によりそれらの
部分の補強が効率良く図られる。
【００２９】
リブ１５としては、上下方向に延びた複数の縦リブと、左右略水平方向に延びた複数の横リブとがあり、これらは交差して繋がっている。このような構成によれば、ベース部材本体部１の広い面積を効率良く補強することができる。複数のリブ１５には、配線用孔１１とステーパイプ用連結部２との間に位置する２つのリブ１５ａが含まれており、これらに切欠き凹部１６が設けられている。切欠き凹部１６は、図２に示すように、配線６２Ａ，６２Ｂの一部分を進入させて係止させるための部分である。このことにより、この取付け構造Ｓの組み立て時において、配線６２Ａ，６２Ｂの位置決めを図ることができる。
【００３０】
庇部４は、ベース部材本体部１の上部と壁部７との間に、仮に水が進入しても、これに対して適切に対処するための部分である。この庇部４は、２つの配線用孔１１およびステーパイプ用連結部２の上方に位置するようにベース部材本体部１の上部寄りに位置しており、補強用のリブ１４，１５と同様に、ベース部材本体部１の背後に向けて突出したリブ状である。この庇部４の高さＨ１は、図２に示すように、好ましくは、庇部４の先端が壁部７に接触し、または接近する高さとされており、ベース部材本体部１の上部と壁部７との間に水が進入したときには、この水を上面４０により受けることが可能とされている。庇部４の高さＨ１は、庇部４と壁部７との隙間が小さくなるように高いほど好ましいものの、その具体的な値は問わない。ただし、庇部４の高さＨ１は、少なくとも隙間３０の高さＨ２よりも高いことが望まれる。Ｈ１＞Ｈ２であれば、配線６２Ａ，６２Ｂのうち、ステーパイプ５内に挿入されていない部分の上方を庇部４によって適切に覆い、前記部分に水が直接流れ落ちることを適切に防止し得るからである。
【００３１】
図５に示すように、庇部４は、左右幅方向の略中央部４ａが最も高く、かつ幅方向両端部４ｂに進むにしたがって徐々に高さが低くなるように略へ字状に傾斜した形態を有している。このことにより、庇部４の上面４０によって受けられた水は、矢印Ｎ１で示すように、両端部４ｂの双方または一方に向けて流れていく。庇部４の両端部４ｂは、補強用の複数のリブ１５よりもベース部材Ｂの左右幅方向外方側に位置しており（もちろん、配線用孔１１や配線６２Ａ，６２Ｂの直上位置から左右幅方向にオフセットされている）、両端部４ｂに到達した水は、矢印Ｎ２で示すように、最外列の縦リブ１５ｂの外側方を通過し、ベース部材本体部１の下部寄りに位置する受け部１７上に落下する。
【００３２】
受け部１７は、枠状凸部１３の一部分により構成され、板状部１０の下縁部に交差して繋がっている。板状部１０の下縁部の幅方向両端部には、一対の排水用の孔部１８が設けられている。好ましくは、受け部１７は、庇部４と同様に、左右幅方向略中央部から両端部に進むに連れて高さが徐々に低くなるように傾斜しており、この受け部１７によって受けられた水が排水用の孔部１８に円滑に流れ込むように構成されている。受け部１７によって受けられた水は、図２の矢印Ｎ３に示すように、排水用の孔部１８を通過してベース部材本体部１の前面側に流れ、その後ベース部材本体部１の下方に流れ落ちるようになっている。好ましくは、受け部１７の上面は、前下がり状に傾斜しており、このことにより孔部１８への水の流れ込みがより円滑化されている。図２に示すように、リモコン６Ｂは、孔部１８を閉塞しないように設けられつつ、孔部１８の正面をカバーする配置とされる。このように孔部１８の正面がリモコン６Ｂによってカバーされていれば、孔部１８内にその正面から水が進入する虞を無くし、または少なくすることができる。
【００３３】
次に、前記した電気機器取付け構造Ｓの作用について説明する。
【００３４】
まず、テレビユニット６Ａおよび給湯機のリモコン６Ｂの配線６２Ａ，６２Ｂについては、２つの配線用孔１１からベース部材Ｂの背面側に通し、かつ開口部２１ａから隙間３０内に進入させて、ステーパイプ５内に適切に通した状態に設定することができる。テレ
ビユニット６Ａおよびリモコン６Ｂは、配線６２Ａ，６２Ｂの基部が配線用孔１１に対面するようにベース部材Ｂの前面部に当接または接近させて取り付ければよい。配線用孔１１の位置を変更することにより、テレビユニット６Ａとリモコン６Ｂとの配置を自在に変更することが可能である。加えて、テレビユニット６Ａやリモコン６Ｂとベース部材Ｂとの間には、配線６２Ａ，６２Ｂをステーパイプ５内に導くためのスペースを設ける必要はない。したがって、ベース部材Ｂよりも前面側にテレビユニット６Ａやリモコン６Ｂが大きく嵩張った状態に設けられることを回避するのに好ましいものとなる。
【００３５】
一方、ベース部材Ｂの背面側には、ステーパイプ用連結部２が設けられているものの、このステーパイプ用連結部２自体は、一対の突起部２０を用いて構成されたものであって、その高さも補強リブ１５などの高さと同等またはそれ以下の高さの小サイズとすることができる。したがって、ベース部材Ｂの背面側の構造はやや複雑化するものの、ベース部材Ｂの前面側に配線６２Ａ，６２Ｂを配置させるためのスペースを設ける必要がないことに基づき、電気機器取付け構造Ｓの全体の小サイズ化を図ることが可能である。
【００３６】
配線６２Ａ，６２Ｂを、ステーパイプ５内に通す作業は、ベース部材Ｂの背面側において集約して行なうことが可能である。したがって、その作業も容易となる。とくに、本実施形態においては、切欠き凹部１６に配線６２Ａ，６２Ｂを係止させることによって、配線６２Ａ，６２Ｂの取り回し時において配線６２Ａ，６２Ｂが不用意に動かないようにすることができるために、前記作業がより容易化される。切欠き凹部１６は、ベース部材Ｂの補強用のリブ１５ａを利用して設けられているために合理的である。また、ベース部材Ｂには、リブ１４や補強機能を発揮する庇部４も設けられているために、ベース部材Ｂの各部の薄肉化を図りつつ、十分な強度を確保することも可能である。
【００３７】
本実施形態においては、シール部材６３，８０を用いた止水シールによって所定部分への水の進入が阻止され、電気系統の保護が適切に図られる。シール部材８０が劣化したり、あるいは壁部７の表面がタイル貼りであって、タイルの目地部分が深い凹状となっているような場合には、ベース部材Ｂの上部と壁部７との間に水が進入することがあり得るが、次に述べるように、そのようなことにも適切に対処することができる。すなわち、図５および図２の矢印Ｎ１〜Ｎ３で示したように、前記した水は、庇部４によって受けられてからその端部４ｂに向けてガイドされて端部４ｂから下方に流れ落ち、その後は受け部１７によって受けられてから排水用の孔部１８を通過してベース部材Ｂの下方に排出される。したがって、配線６２Ａ，６２Ｂが水に濡れるようなことは、一層徹底して防止される。また、ベース部材Ｂの下部に多くの水が溜まることも適切に回避される。さらに、ベース部材Ｂの前面側から水を落下排出させれば、壁部７の表面に沿わせて水を排出させる場合とは異なり、壁部７の表面に水汚れを発生し難くする効果も期待できる。
【００３８】
本発明は、上述した実施形態の内容に限定されない。本発明に係る電気機器取付け構造の各部の具体的な構成は、種々に設計変更自在である。
【００３９】
本発明でいう庇部は、受け水を配線用孔および電気機器の配線の直上位置からオフセットされた位置に導いた後に下方へ流れ落とすことが可能に、少なくとも一部分が傾斜していればよく、前記実施形態の略へ字状の形態とは異なる形態とすることが可能である。たとえば、左右幅方向の一端部から他端部に向けて一方向にのみ傾斜した形態、あるいは傾斜部分が曲面状とされた形態とすることもできる。
【００４０】
本発明は、ベース部材をステーパイプに連結しない場合においても適用することが可能である。より具体的には、ベース部材にステーパイプを連結することなく、ベース部材を壁部にネジ止めしたような場合において、壁部の孔部に電気機器の配線をそのまま挿入させるような場合においても本発明を適用可能であり、庇部の存在によって配線に水が掛かることを適切に防止することが可能である。
【００４１】
前記実施形態のベース部材は、複数の電気機器を一纏めにして壁部に取り付けるのに適するが、本発明はこれに限定されず、たとえば１つの電気機器のみを壁部に取り付ける場合にも適用することが可能である。電気機器としては、テレビユニットや給湯機のリモコン以外の種々のものを適用することができる。また、電気機器の取付け対象となる壁部も、浴室の壁部に限らず、台所やその他の種々の部屋または場所の壁部とすることができることは言う迄もない。
【符号の説明】
【００４２】
Ｓ    電気機器取付け構造
Ｂ    ベース部材（電気機器取付け用ベース部材）
１    ベース部材本体部
２    ステーパイプ用連結部
４    庇部
５    ステーパイプ
６Ａ  テレビユニット（電気機器）
６Ｂ  給湯機のリモコン（電気機器）
７    壁部
１１  配線用孔
１７  受け部
１８  排水用の孔部
２１ａ    開口部
３０      隙間
４０      上面（庇部の）
６２Ａ，６２Ｂ    配線（電気機器の）
【図１】
0005515950.tif 000002
【図２】
0005515950.tif 000003
【図３】
0005515950.tif 000004
【図４】
0005515950.tif 000005
【図５】
0005515950.tif 000006